(57)【要約】【課題】握力の低下した利用者に把持力が拡大する器具を提供する。【解決手段】挿通空間２５に遊挿した握持用グリップ２７の頭部２９を任意の凹型切り欠き部に係止し、支承し、柄２２を指で保持し握持用グリップ２７を掌で握持することで、利用者の把持力を拡大する構成にした。【選択図】　図１２
2004049839.tif 000002
【特許請求の範囲】
【請求項１】
保持用の柄を有し、機能部がスプーン、フォーク等からなる食器において、
前記柄の裏面に複数の凹型の切り欠き部を形成し、前記切り欠き部と一体の挿通空間を形成した食器に、
前記挿通空間に合致し遊挿できる一端部を有する握持用グリップを形成し、
前記握持用グリップの一端部を前記挿通空間に遊挿し、任意の前記凹型の切り欠き部に係止し、前記握持用グリップの一端部を前記凹型の切り欠き部に支承してなることを特徴とする食器。
【請求項２】
機能部を歯ブラシとした請求項１記載の歯ブラシ。
【請求項３】
機能部を筆記具とした請求項１記載の筆記具。
【発明の詳細な説明】
【０００１】
【発明の属する技術分野】
本発明は、握持用グリップを支承した食器、および歯ブラシ、筆記具に関し、特に高齢者や握力の低下した方々が上記器具を利用する場合に有効なものである。
【０００２】
【従来の技術】
従来、高齢者や握力の低下した方々を対象とした食器、歯ブラシ、筆記具等は柄の部分を太くした器具、万能カフを改良した器具などがある。
【０００３】
実用新案昭６３−４７７６８および特開平１１−２３５２６１が該当する。
【０００４】
さらに形状記憶樹脂を使用した特公平５−８２２０２は手首を利用している。また特開平１１−４７１６も形状記憶樹脂を使用して掌で握持する。
【０００５】
また特開２００１−１２８８２９は柄とグリップを一体で成型している。
さらに特開２００２−８５４８６はグリップを握持するものであるが、グリップに穴をあける、切り込みがある等々である。
【０００６】
しかし、利用者の手の動き、および個々の保持力、握持力、把持力に対応している器具は少ないといわざるをえない。
さらに、健常者が使用する器具の形態と差異が大きい。
【０００７】
１９３５年に発明され形体が類似しているユニバーサルジョイントについて述べる。ユニバーサルジョイントは、動力伝達装置であり目的と法則に従って作動を提供するものである。
【０００８】
【発明が解決しようとする課題】
使用者個々の手の大きさ、保持力、握持力、把持力、微妙な癖などに対応しつつ、さらなる課題として、器具として大げさでないこと。
【０００９】
また、健常者にも違和感なく使用できるユニバーサルデザインを目的とする。
【００１０】
従来、高齢者を対象にした器具類は、市場価格が高いのでリーズナブルな価格で提供できることを目的とする。
【００１１】
【課題を解決するための手段】
上記目的を達成する為の本発明の特色は、保持するための柄の部分に、挿通空間を形成し前記挿通空間に、握持用のグリップ部材を遊挿し任意の位置の凹型の切り欠き部に支承させて使用することを特徴とする。
【００１２】
また、第２の課題解決手段は、握持用グリップを共用化できることを特徴とする。
【００１３】
上記第１の課題解決手段による作用は次の通りである。
指で柄を保持し掌で握持用グリップを握持するので、柄と握持用グリップの支承部分が力の媒体となり器具を持つ利用者に拡大された把持力が提供できる。
【００１４】
また挿入された握持用グリップの支承部分は遊挿された状態のため使用者の手の動きに対応するので自由度が大きく利用者の掌にフィットする。
【００１５】
また握持用グリップを柄の一端部にある挿通入出口より外して、２個の単体にすることで洗浄が容易に行える。
【００１６】
上記第２の課題解決手段による作用は次の通りである。
握持用グリップを共用化することで部材の共用化が図れるので利便性が向上し低コストで提供できる。
【００１７】
【発明の実施の形態】
以下本発明の実施の形態を添付図面に従って説明する。
【００１８】
図３において、挿通入出口２６と挿通路２４と凹型切り欠き部２３と一体で挿通空間２５が構成されている。
【００１９】
図５において、握持用グリップ２７と、首部２８、一端部にある頭部２９で構成されている。
【００２０】
図８において、柄２２の断面図で挿通空間２５より小さい頭部２９であり、挿通路２４より細い首部２８である。
【００２１】
図１１において、挿通路２４より大きい頭部２９である。
【００２２】
以下、上記構成の実施例を説明する。
図７において、握持用グリップ２７の一端部の頭部２９と首部２８を挿通入出口２６より挿入し、頭部２９を挿通空間２５に挿通し、同時に首部２８を挿通路２４に挿通し、任意の凹型切欠き部２３に導く。結果図９の状態である。
【００２３】
凹型切り欠き部２３に係止した頭部２９、および挿通された首部２８は支承された状態になる。図１０の状態である。
【００２４】
図１０の状態で、利用者が握持用グリップ２７を握持し柄２２を保持するので、頭部２９の下部と凹型切り欠き部２３の上面が接することにより、その接点が媒体となり、指の保持力と掌の握持力の二つの力が併合され一つの拡大された把持力を創生し利用者の利便性が増加する。
【００２５】
頭部２９の大きさより挿通空間２５が広いので、利用者の動きに対応できる。
【００２６】
図１１に図示したように、挿通路２４の広さより頭部２９が大きいので頭部２９は脱落しない。
【００２７】
複数ある凹型切り欠き部２３の任意の位置を選択することで利用者の利便性が高い。
【００２８】
握持用グリップ２７を挿通入出口２６から外すことで、スプーンの形態は健常者が普通に使用できるものである。
さらに、洗浄する際も同じである。
【００２９】
また、本発明は以上の実施例に限定されるものではなく。
切り欠き部を凹型以外に、丸型、半円型、楕円型、変形角型等で形成してもよい。
さらに、切り欠き部を設けずに、挿通空間自体、挿通路自体に支承する構成でもよい。
【００３０】
また、握持用グリップを柄の下面に直接枢支する構成でもよい。
【００３１】
本実施の形態は、食器、歯ブラシ、筆記具について説明したが機能部をほかの機能を持つものに代えることにより、利用範囲を拡大することができる。
【００３２】
柄自体に機能を持たせることも可能である。
【００３３】
上述した特徴を持つ発明であるので、利用する原材料は、金属、プラスチック、木材を問わない。
【００３４】
【発明の効果】
上述したように本発明の握持用グリップは、任意の位置に着脱可能な支承部の頭部を媒体にして、
機能と力の度合いが異なる、指の保持力と掌の握持力を併合することで、柔軟性のある拡大された把持力が得られるのである。
【００３５】
ユニバーサルジョイントと、本発明の違う効果について説明する。
ユニバーサルジョイントは、目的と法則に従って、動力を伝達し作動するものである。
本発明は、柄および握持用グリップの都度違う動きに対して、支承部が、動く範囲を強制せず力の媒体となり把持力の拡大を提供するものである。
【００３６】
支承部を任意の位置に係止できるので手の大きさに関わらず使用できる。
【００３７】
支承部を外せば機能部を有する柄のみになり、形態的にも違和感なく健常者にも使用できる。
結果ユニバーサルデザインの理念に合致する。
【００３８】
支承部を外せば２個の単体になり洗浄が容易である。
【００３９】
機能部を持つ柄と、握持用グリップのサイズを縮小すれば、乳幼児でも使用できる。
【００４０】
握持用グリップは、食器、歯ブラシ、筆記具に共用で使用できるので経済的である。
【００４１】
連結部材を利用して、機能部のみ交換する構造にすることも可能であり、より経済的である。
【００４２】
【図面の簡単な説明】
【図１】本発明による食器のスプーンの上面図である。
【図２】図１の透視図である。
【図３】図１の下面透視図である。
【図４】図１の側面透視図である。
【図５】本発明による握持用グリップの正面図である。
【図６】図５の上面図である。
【図７】図５の握持用グリップを図４の側面透視図に遊挿した説明図である。
【図８】図１の柄におけるＡ−Ａ線断面図に図５の握持用グリップを遊挿した説明図である。
【図９】図８の後、凹型の切り欠き部に遊挿した説明図である。
【図１０】図９の後、凹型の切り欠き部に支承した説明図である。
【図１１】図５の握持用グリップの頭部が挿通路より大きいことの説明図である。
【図１２】本発明のスプーンの柄に握持用グリップを支承し把持した状態の説明図である。
【図１３】本発明の食器のフォークの上面図である。
【図１４】本発明の筆記具の上面図であり先端部の透視図である。
【図１５】本発明の歯ブラシの側面図である。
【符号の説明】
２１　機能部
２２　柄
２３　凹型切り欠き部
２４　挿通路
２５　挿通空間
２６　挿通入出口
２７　握持用グリップ
２８　首部
２９　頭部
３０　先端部交換機能部
【図１】
2004049839.tif 000003
【図２】
2004049839.tif 000004
【図３】
2004049839.tif 000005
【図４】
2004049839.tif 000006
【図５】
2004049839.tif 000007
【図６】
2004049839.tif 000008
【図７】
2004049839.tif 000009
【図８】
2004049839.tif 000010
【図９】
2004049839.tif 000011
【図１０】
2004049839.tif 000012
【図１１】
2004049839.tif 000013
【図１２】
2004049839.tif 000014
【図１３】
2004049839.tif 000015
【図１４】
2004049839.tif 000016
【図１５】
2004049839.tif 000017